(57)【要約】【課題】移設可能な組立式建築物であって、居住ユニットを廊下組立体に隣接配置するだけで、それらを緊結することなく、それら間に防水処理を施すことができ、防水性に優れ、静粛で、住み心地がよく、組立、解体が容易で、低コストにて提供できる。【解決手段】  廊下組立体Ｓと居住ユニットＬとが相互に近接配置され、屋根組立体Ｒが廊下組立体Ｓと居住ユニットＬとに跨がって設けられ、居住ユニットＬの天井壁１５には、廊下組立体Ｓと対面する前壁およびこれに続く左右側壁に跨がって防水壁４０が一体に起立され、天井壁１５から居住ユニットＬの天井壁１５上に落ちた雨水などの水を居住ユニットＬの外に導くようにした。【選択図】    図６
2018109278.tif 000002
【特許請求の範囲】
【請求項１】
廊下組立体（Ｓ）と居住ユニット（Ｌ）とが基礎（Ｆ）上に移設可能に構築され、前記廊下組立体（Ｓ）上には、屋根組立体（Ｒ）が敷設される組立式建築物であって、
前記廊下組立体（Ｓ）と前記居住ユニット（Ｌ）とが相互に近接配置され、前記屋根組立体（Ｒ）は廊下組立体（Ｓ）と居住ユニット（Ｌ）とに跨がって延設され、前記居住ユニット（Ｌ）の天井壁（１５）には、廊下組立体（Ｓ）と対面する前壁（１６）およびこれに続く左右側壁（１８，１９）に跨がって防水壁（４０）が一体に起立され、居住ユニット（Ｌ）の天井壁（１５）上に落ちた雨水などの水を該居住ユニット（Ｌ）の外部に導くようにしたことを特徴とする、組立式建築物。
【請求項２】
前記防水壁（４０）は、前記居住ユニット（Ｌ）の天井壁（１５）より起立する前壁（４０1 ）および左右側壁（４０2 ）を有して平面視コ字状に形成され、その左右側壁（４０2 ）上には、キャップ（４１）が被着されることを特徴とする、前記請求項１に記載の組立式建築物。
【請求項３】
前記廊下組立体（Ｓ）には、複数の居住ユニット（Ｌ）が近接配置され、各居住ユニット（Ｌ）は、密閉状の筐体により構成されて、その前壁（１６）に前記廊下組立体（Ｓ）に通じる玄関口（２２）が開口され、相隣れる居住ユニット（Ｌ）間には、それぞれ遮蔽空間（Ａ）が形成されることを特徴とする、前記請求項１または２に記載の組立式建築物。
【請求項４】
前記遮蔽空間（Ａ）は、遮音、防水、遮熱空間であることを特徴とする、前記請求項３に記載の組立式建築物。
【請求項５】
前記廊下組立体（Ｓ）および居住ユニット（Ｌ）はいずれも搬送手段により搬送が可能であることを特徴とする、前記請求項１、２、３または４に記載の組立式建築物。
【発明の詳細な説明】
【技術分野】
【０００１】
本発明は、住宅、店舗、ホテルなどの移設可能な組立式建築物に関し、特に、居住ユニットを廊下組立体に隣接配置するだけで、それらを緊結することなく、それら間に防水処理を施すことができ、また騒音が伝播することがなく、防水性に優れ、静粛で、住み心地がよく、組立、解体が容易で、低コストにて提供できる組立式建築物に関する。
【背景技術】
【０００２】
工場などで製作される、店舗などの直方体形状のユニット体を基礎上に複数並列し、隣接するユニット体同士を接合してなる組立式建築物は、既に提案されている（たとえば、後記特許文献１参照）。
【先行技術文献】
【特許文献】
【０００３】
【特許文献１】特開２００４−１２４５７７号公報
【発明の概要】
【発明が解決しようとする課題】
【０００４】
ところで、かかる組立式建築物は、
(1) 組立、解体が簡単、容易であること、
(2) 建築コストを低減できること、の他に
(3) 雨水処理などの防水処理、遮音処理を施すことが要求されるが、従来の組立式建築物では、かかる要求を充足できないという問題がある。
【０００５】
本発明は、かかる実情に鑑みてなされたもので、前記問題を解決した、新規な組立式建築物を提供することを目的とする。
【課題を解決するための手段】
【０００６】
上記目的を達成するため、請求項１の発明は、廊下組立体と居住ユニットとが基礎上に移設可能に構築され、前記廊下組立体上には、屋根組立体が敷設される組立式建築物であって、
前記廊下組立体と前記居住ユニットとが相互に近接配置され、前記屋根組立体は廊下組立体と居住ユニットとに跨がって延設され、前記居住ユニットの天井壁には、廊下組立体と対面する前壁およびこれに続く両側壁に跨がって防水壁が一体に起立され、居住ユニットの天井壁上に落ちた雨水などの水を、該居住ユニットの外部に導くようにしたことを特徴としている。
【０００７】
上記目的を達成するため、請求項２の発明は、前記請求項１のものにおいて、前記防水壁は、前記居住ユニットの天井壁より起立する前壁および左右側壁を有して平面視コ字状に形成され、その左右側壁上には、キャップが被着されることを特徴としている。
【０００８】
上記目的を達成するため、請求項３の発明は、前記請求項１または２のものにおいて、前記廊下組立体には、複数の居住ユニットが近接配置され、各居住ユニットは、密閉状の筐体により構成されて、その前壁に前記廊下組立体に通じる玄関口が開口され、相隣れる居住ユニット間には、それぞれ遮蔽空間が形成されることを特徴としている。
【０００９】
上記目的を達成するため、請求項４の発明は、前記請求項３のものにおいて、前記遮蔽空間は、遮音、防水、遮熱空間であることを特徴としている。
【００１０】
上記目的を達成するため、請求項５の発明は、前記請求項１、２、３または４のものにおいて、前記廊下組立体および居住ユニットはいずれも搬送手段により搬送が可能であることを特徴としている。
【発明の効果】
【００１１】
請求項１の発明によれば、廊下組立体と居住ユニットとが相互に近接配置され、屋根組立体は廊下組立体と居住ユニットとに跨がって延設され、居住ユニットの天井面には、廊下組立体と対面する前壁およびこれに続く側壁に跨がって防水壁が一体に起立されるので、屋根組立体から居住ユニットの天井壁上に落ちた雨水などの水は、廊下組立体側に流れることなく居住ユニットの外部に排水することができ、また廊下組立体と居住ユニットとは近接配置されて、それらは相互に緊結することがなく、それらの組付、分解が容易であり、それらをコンパクトに配置することができ、しかもそれら間の防水、遮音、遮熱が可能になる。
【００１２】
請求項２の発明によれば、防水壁は、居住ユニットの天井壁より起立する前壁および左右側壁を有して平面視コ字状に形成されるので、該防水壁を居住ユニットに簡単に形成することができ、また防水壁の左右側壁上に被着されるキャップは、居住ユニット上に落ちた雨水などの水を円滑、的確に居住ユニットの外部に導くことができる。
【００１３】
請求項３の発明によれば、廊下組立体には、複数の居住ユニットが近接配置され、各居住ユニットは、密閉状の筐体により構成されて、その前壁に廊下組立体に通じる玄関口が開口され、相隣れる居住ユニット間には、それぞれ遮蔽空間が形成されるので、複数の居住ユニットは、近接配置されるにも拘らず騒音が伝播することがなく、静粛で、住み心地のよい居住空間を提供できる。
【００１４】
請求項４の発明によれば、前記遮蔽空間は、遮音、防水、遮熱空間であるので、各居住空間の遮音効果、防水効果、および遮熱効果を充分に的確に達成でき、各居住空間には、別途に遮音対策、防水対策、遮熱対策を施す必要がなく、組立式建築物を廉価に提供することができる。
【００１５】
請求項５の発明によれば、廊下組立体および居住ユニットはいずれも搬送手段により施工現場に搬送可能であることから、組立式建築物の施工期間を大幅に短縮することができ、建築コストを低減することができる。
【図面の簡単な説明】
【００１６】
【図１】本発明に係る組立式ホテルの全体斜視図
【図２】図１の２矢視の組立式ホテルの正面図
【図３】図２の３矢視の組立式ホテルの前面図
【図４】図２の４矢視の組立式ホテルの後面図
【図５】図２の５−５線に沿う断面図
【図６】図２の６−６線に沿う拡大断面図
【図７】図７（Ａ）は図２の仮想円囲い部分７の拡大図、図７（Ｂ）は図７（Ａ）のＢ−Ｂ線断面図
【図８】図８（Ａ）は図２の仮想円囲い部分８の拡大図、図８（Ｂ）は図８（Ａ）のＢ−Ｂ線断面図
【図９】図９（Ａ）は図６の仮想円囲い部分９の拡大図、図９（Ｂ）は図９のＢ−Ｂ線断面図
【図１０】図９の１０矢視の居住ユニットの一部斜視図
【発明を実施するための形態】
【００１７】
本発明の実施形態を、添付図面を参照して具体的に説明する。
【００１８】
本実施態様は、本発明組立式建築物を、二階建ての組立式ホテルに実施した場合であって、組立式ホテルは、廊下組立体Ｓと、その廊下組立体Ｓの両側にそれぞれ一体に並列結合される、直方体状の複数の居住ユニットＬと、前記廊下組立体Ｓの前面に結合されるエントランス組立体Ｅとを備えている。
【００１９】
図５、６に示すように、前記廊下組立体Ｓは、同じ構造に形成される、一階層および二階層の廊下組立体Ｓ(1) 、Ｓ(2) よりなり、それらの廊下組立体Ｓ(1) 、Ｓ(2) は、それぞれ複数（４つ）の廊下単位Ｓｕ（左右各一対の居住ユニットＬに対応）を長手方向に縦列結合して構成されている。各廊下単位Ｓｕは、四角柱状の複数の、縦、横および前後の骨材１、２、３を縦横に直方体状に枠組み結合してなる骨格フレーム１０に、鉄板よりなる、床板１１および天井板１２を一体に連結して構成されており、その前後面および左右両側面は、外部に開放されている。なお、最後部の廊下単位Ｓｕの後面は出口ドア３５を設けた後壁により閉じられる（図５）。
【００２０】
図６に示すように、各廊下単位Ｓｕの縦骨材１は、天井板１２よりも上方に、かつ床板１１よりも下方に突出しており、各縦骨材１の上下端部には連結フランジｆが一体に形成されている。
【００２１】
各廊下単位Ｓｕは、工場などで製作されたのち、搬送手段により建築現場に搬送される。一階層の廊下組立体Ｓ(1) の廊下単位Ｓｕは、建築現場の地盤Ｇに構築されるコンクリート製の基礎Ｆに固定される。すなわち、一階層の廊下単位Ｓｕの縦骨材１下端の連結フランジｆが、基礎Ｆ上に固定される。一階層の廊下単位Ｓ(1) 上には、二階層の廊下組立体Ｓ(2) の廊下単位Ｓｕが固定される。すなわち、一階層の廊下単位Ｓｕの縦骨材１上端の連結フランジｆに、二階層の廊下単位Ｓｕの縦骨材１下端の連結フランジｆが固定される。
【００２２】
さらに、二階層の廊下組立体Ｓ(2) の廊下単位Ｓｕ上には、後述する屋根組立体Ｒが敷設される。図６、９に示すように、二階層の廊下単位Ｓｕの縦骨材１上端の連結フランジｆに、屋根組立体Ｒ下端の連結フランジｆが、複数のアンカーボルトｂをもって固定される。
【００２３】
図５に示すように、複数の廊下単位Ｓｕを長手方向に縦列結合してなる、一、二階層の廊下組立体Ｓ(1) 、Ｓ(2) の前後方向、すなわちそれらの長手方向両側には、並設される一階層および二階層の複数に居住ユニット（客室ユニット）Ｌ(1) 、Ｌ(2) がそれぞれ相互に隣接して結合される。
【００２４】
各居住ユニットＬは、廊下組立体Ｓと同じく搬送手段により建築現場に搬送されて、一階層の複数の居住ユニットＬ(1) は、前記基礎Ｆ上に固定され、また二階層の複数の居住ユニットＬ(2) は、一階層の居住ユニットＬ(1) 上にそれぞれ積層固定される。
【００２５】
図５〜８に示すように、各居住ユニットＬは、それぞれ廊下組立体Ｓの長手方向と直交する方向に長い直方体状の筐体により構成されていて、相互に隣接する居住ユニットＬの間には、遮蔽空間Ａがそれぞれ形成されている。この遮蔽空間Ａは、遮音、防水および遮熱空間とされている。
【００２６】
各居住ユニット（客室ユニット）Ｌは、工場で生産されてモジュール化されて直方体の筐体により同じ構造に構成されており、以下に、その一居住ユニットＬの具体的構造について説明する。
【００２７】
図５〜８に示すように、居住ユニットＬは、鉄材により形成され、複数の縦、横および前後骨材５、６、７を直方体状に枠組みしてなる骨格フレーム１４に、鉄板よりなる、天井壁１５、前、後壁１６、１７、左、右側壁１８、１９および床壁２０を結合して密閉状に形成され、前記廊下組立体Ｓに対面する前壁１６すなわち玄関壁には、扉２１によって開閉される玄関口２２が開口され、さらに前、後壁１６、１７および左右側壁１８、１９には、適宜窓２３が設けられる。そして、各居住ユニットＬは、トラック、クレーンなどの従来公知の搬送手段により搬送することができる。
【００２８】
図５、６に示すように、居住ユニットＬ内には、ユニットバス、トイレット、電気温水器、冷蔵庫などの居住設備２４一式を備えた居住空間２５が配設されている。
【００２９】
また、各居住ユニットＬの居住空間２５の排水部にはそれぞれ排水管２７が接続されており、これらの排水管２７は、床壁２０を貫通して外部に延出され、基礎Ｆを通って排水施設（図示せず）に接続される。
【００３０】
図７，８に示すように、各居住ユニットＬの四隅の縦骨材５の上端は、天井壁１５よりも上方に、またその下端は床壁２０よりも下方に突出している。一階層の居住ユニットＬ(1) の各縦骨材５下端の連結フランジｆは、基礎Ｆ上にアンカーボルトｂで固定され、また、各縦骨材５の上端の連結フランジｆは、二階層の居住ユニットＬ(2) の縦骨材５の下端の連結フランジｆにアンカーボルトｂで固定される。これにより一階層の居住ユニットＬ(1) と、二階層の居住ユニットＬ(2) の間には、それらの全域に亘って遮蔽空間Ａが形成される。また相隣れる居住ユニッＬの側面間にも、それらの全域に亘って遮蔽空間Ａが形成される。
【００３１】
図６、９、１０に示すように、前記廊下組立体Ｓと前記居住ユニットＬとは相互に近接配置され、二階層の廊下組立体Ｓ(2) 上に敷設される屋根組立体Ｒは、廊下組立体Ｓ(2) と居住ユニットＬ(2) とに跨がって延設され、廊下組立体Ｓ(2) の上方中央より左右の二階層の居住ユニットＬ(2) に向けて下向きに傾斜され、その左右自由端は、廊下組立体Ｓ(2) と居住ユニットＬ(2) 間を超えて左右の居住ユニットＬ(2) 上に達している。
【００３２】
居住ユニットＬの天井壁１５には、廊下組立体Ｓに対面する前壁１６およびこれに続く左右両側壁１８、１９に沿って、その天井壁１５より起立する防水壁４０が一体に形成されている。図１０の明瞭に示すように、前記防水壁４０は、前壁４０1 と左右側壁４０2 とより平面視コ字状に形成されて、居住ユニットＬの左右前後骨材７に溶接などにより固定されており、前記左右側壁４０2 ，４０2 は、居住ユニットＬの長手方向の全長の略１／２の長さに形成され、防水壁４０の左右側壁４０2 には、チャンネル状のキャップ４１が複数ビス４２により固定されている。
【００３３】
図９矢印ａに示すように、屋根組立体Ｒ上から居住ユニットＬの天井壁１５上に落ちた雨水などの水は、前記防水壁４０により廊下組立体Ｓ側に流れるのを阻止されて居住ユニットＬの天井壁１５上に導かれて外部に排水される。キャップ４１は、屋根組立体Ｒ上から落ちた雨水などの水を排水部に、的確、円滑に誘導するのに役立つ。
【００３４】
複数の居住ユニットＬは、その左右側壁１８、１９外面に遮蔽空間Ａが形成されるので、複数の居住ユニットＬが相互に隣接配置されているにも拘らず、各居住空間２５内は外部から騒音が遮断されて、その居住空間２５内を静粛に保つことができ、また居住空間２５内に発生した騒音が外部に伝播することもなく、居住空間の居心地を良好なものとすることができる。
【００３５】
図１、２、５に示すように、廊下組立体Ｓの長手方向の前面、すなわちその入口面には、エントランス組立体Ｅが結合される。このエントランス組立体Ｅは、いずれも直方体の筐体よりなる、一階建てのエントランスホールＥ1 、二階建ての踊り場ホールＥ2 および二階建ての階段ホールＥ3 を一体に組み立てて構成されて基礎Ｆ上に構築される。エントランスホールＥ1 には、観音式開閉扉３０により開閉される玄関口３１が開口され、踊り場ホールＥ2 には、廊下組立体Ｓの一、二階層の廊下に通じる踊り場通路３２が形成され、さらに階段ホールＥ3 には、前記踊り場通路３２に通じる階段３３が備えられる。
【００３６】
また、図４、５に示すように、一、二階層の廊下組立体Ｓ(1) 、Ｓ(2) の後壁面、すなわち出口面には、外部に通じる出口ドア３５がそれぞれ設けられ、また地盤Ｇ上に、二階層の廊下組立体Ｓ(2) に通じる外階段３６が設置される。
【００３７】
組立式のホテルの利用者は、エントランスホールＥ1 から踊り場ホールＥ2 、一階層の廊下組立体Ｓ(1) 内を通って一階層の複数の居住ユニットＬ(1) 内に、また踊り場ホールＥ2 から階段ホールＥ3 を通り二階層の廊下組立体Ｓ(2) 内を通って、二階層の複数の居住ユニットＬ(2) 内にそれぞれ出入りすることができる。
【００３８】
さらに、前記遮蔽空間Ａを遮熱空間とすることができるので、各居住空間２５の空調処理が容易となり、各居住空間２５を快適空間とすることができる。
【００３９】
以上、本発明の一実施形態について説明したが、本発明はその実施形態に限定されることなく、本発明の範囲内で種々の実施形態が可能である。
【００４０】
たとえば、前記実施形態では、本発明にかかる組立式建築物を、二階建ての組立式ホテルに実施した場合の実施形態について説明したが、組立式建築物を、通常の住宅、店舗などの他の建築物に実施してもよく、また組立式建築物は、一階建てあるいは三階建て以上としてもよい。
【符号の説明】
【００４１】
１５・・・・・・・・天井壁
１６・・・・・・・・前壁
１８・・・・・・・・左側壁
１９・・・・・・・・右側壁
２０・・・・・・・・床壁
２２・・・・・・・・玄関口
４０・・・・・・・・防水壁
４０1 ・・・・・・・前壁
４０2 ・・・・・・・側壁
４１・・・・・・・・キャップ
Ａ・・・・・・・・遮蔽空間
Ｅ・・・・・・・・エントランス組立体
Ｆ・・・・・・・・基礎
Ｌ・・・・・・・・居住ユニット
Ｓ・・・・・・・・廊下組立体
Ｒ・・・・・・・・屋根組立体
【図１】
2018109278.tif 000003
【図２】
2018109278.tif 000004
【図３】
2018109278.tif 000005
【図４】
2018109278.tif 000006
【図５】
2018109278.tif 000007
【図６】
2018109278.tif 000008
【図７】
2018109278.tif 000009
【図８】
2018109278.tif 000010
【図９】
2018109278.tif 000011
【図１０】
2018109278.tif 000012